(57)【要約】【課題】通信端末に極力負担をかけずにユーザが設定した音でＲＢＴ等を発生させることができる音情報提供システムを提供すること。【解決手段】この音情報提供システム１０は、携帯電話機３０から送信される登録情報に基づいて音情報格納部１１０に、ユーザが使用する携帯電話機３０の電話番号と、ユーザが選択した音情報とを関連付けて格納する登録部１０１と、携帯電話機３０から送信される携帯電話機３０の電話番号を含む発呼情報を受信する受信部１０２と、当該受信した発呼情報に含まれる電話番号に対応する音情報を音情報格納部１１０に格納されている音情報から選択する音情報選択部１０３と、当該選択した音情報を携帯電話機３０に送信する送信部１０４と、を備える。【選択図】  図１
2004282607.tif 000002
【特許請求の範囲】
【請求項１】
ユーザが使用する情報通信端末から送信される登録情報に基づいて音情報格納手段に、前記ユーザが使用する通信端末であって通信網を介して送られてくる音情報に基づいて所定の音を発生させることが可能な通信端末を特定する端末特定情報と、前記ユーザが選択した音情報とを関連付けて格納する登録手段と、
前記通信端末から送信される前記端末特定情報を含む発呼情報を受信する受信手段と、
当該受信した発呼情報に含まれる端末特定情報に対応する音情報を前記音情報格納手段に格納されている音情報から選択する音情報選択手段と、
当該選択した音情報を前記通信端末に送信する送信手段と、
を備える音情報提供システム。
【請求項２】
前記登録情報には前記通信端末から発呼する発呼先の通信端末を特定する発呼先特定情報が含まれ、前記登録手段は当該発呼先特定情報を前記端末特定情報及び前記音情報と関連付けて前記音情報格納手段に登録し、
前記発呼情報には前記発呼先特定情報が含まれ、前記音情報選択手段は前記発呼情報に含まれる前記端末特定情報及び前記発呼先特定情報に対応する音情報を選択する、請求項１に記載の音情報提供システム。
【発明の詳細な説明】
【０００１】
【発明の属する技術分野】
本発明は、音情報提供システムに関するものである。
【０００２】
【従来の技術】
通信網を介して送られてくる情報に基づいて音を発生させることが可能な通信端末（固定電話機、移動機、ファクシミリ通信機等を含む。以下同じ。）から他の通信端末へ発呼する際に、その発呼動作の局面に応じて発信音（ダイヤルトーン、ＤＴ）、呼出音（リングバックトーン、ＲＢＴ）、話中音（ビジートーン、ＢＴ）といった音が発呼元の通信端末の受話部から出力される。これらの音は、通信網を通じて交換機から送られてくる電気信号を音に変換して出力されるものである。従って、それらの音は予め定められているものであった。これに対して、任意の音にＤＴやＲＢＴやＢＴを設定できる技術として下記特許文献１に記載されているようなものが知られている。
【０００３】
【特許文献１】
特開２００２−３３８０１号公報
【０００４】
【発明が解決しようとする課題】
従来の技術では、発呼者の通信端末内で発呼者が設定した音に変換するものである。このように通信端末内で変換する態様では、通信端末内にそれらの設定した音を発生させるための音情報を格納する必要がある上に、通信端末での変換処理が必要であるため通信端末の小型化といった技術的要求に対する阻害要因となり得る。
【０００５】
そこで本発明では、通信端末に極力負担をかけずにユーザが設定した音でＲＢＴ等を発生させることができる音情報提供システムを提供することを課題とする。
【０００６】
【課題を解決するための手段】
本発明の音情報提供システムは、ユーザが使用する情報通信端末から送信される登録情報に基づいて音情報格納手段に、ユーザが使用する通信端末であって通信網を介して送られてくる音情報に基づいて所定の音を発生させることが可能な通信端末を特定する端末特定情報と、ユーザが選択した音情報とを関連付けて格納する登録手段と、通信端末から送信される端末特定情報を含む発呼情報を受信する受信手段と、当該受信した発呼情報に含まれる端末特定情報に対応する音情報を音情報格納手段に格納されている音情報から選択する音情報選択手段と、当該選択した音情報を通信端末に送信する送信手段と、を備える。
【０００７】
本発明の音情報提供システムによれば、音情報格納手段にユーザから送信される登録情報に基づいて音情報と端末特定情報とを関連付けて格納するので、ユーザ使用する通信端末に対応させて音情報を保持できる。通信端末が発呼する際に送信される発呼情報に含まれる端末特定情報に基づいて音情報格納手段に格納されている音情報を選択して通信端末に送信するので、ユーザが予め登録した音情報を通信端末に提供できる。従って、通信端末ではその音情報に基づいて所定の音を発生させることができる。
【０００８】
また本発明の音情報提供システムでは、登録情報には通信端末から発呼する発呼先の通信端末を特定する発呼先特定情報が含まれ、登録手段は当該発呼先特定情報を端末特定情報及び音情報と関連付けて音情報格納手段に登録し、発呼情報には発呼先特定情報が含まれ、音情報選択手段は発呼情報に含まれる端末特定情報及び発呼先特定情報に対応する音情報を選択することも好ましい。登録情報には発呼先特定情報が含まれているので、各通信端末ごとに発呼先に応じた音情報を音情報格納手段に格納できる。発呼情報には発呼先特定情報が含まれているので、音情報格納手段に格納されている情報を参照することで発呼先に応じた音情報を選択できる。
【０００９】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１０】
本発明の実施形態である音情報提供システムについて図１を用いて説明する。図１は音情報提供システム１０を説明するための図である。音情報提供システム１０は、音声通信網２０及びデータ通信網２５を介して携帯電話機３０（情報通信端末、通信端末）と相互に情報通信が可能なように構成されている。携帯電話機３０は、音情報提供システム１０を利用するユーザが使用する携帯電話機であって、音声通話とデータ通信とが可能なように構成されている。
【００１１】
引き続いて音情報提供システム１０について説明する。音情報提供システム１０は、物理的には、ＣＰＵ（中央処理装置）、メモリ、マウスやキーボードといった入力装置、ディスプレイといった表示装置、ハードディスクといった格納装置、モデムといった通信装置などを備えたコンピュータシステム（若しくはコンピュータシステムの集合体）として構成されている。
【００１２】
音情報提供システム１０は、機能的な構成要素として、登録部１０１（登録手段）と、受信部１０２（受信手段）と、音情報選択部１０３（音情報選択手段）と、送信部１０４（送信手段）と、参照部１０５と、音情報格納部１１０（音情報格納手段）、を含む。引き続いて、各構成要素について詳細に説明する。
【００１３】
登録部１０１は、ユーザが使用する携帯電話機３０から送信される登録情報に基づいて音情報格納部１１０に、ユーザが使用する携帯電話機３０を特定する端末特定情報としての携帯電話機３０の電話番号と、ユーザが選択した音情報（又は音情報を特定するための音源ＩＤ）とを関連付けて格納する部分である。登録情報には、携帯電話機３０の電話番号とユーザが選択した音情報を特定するための音源ＩＤとが少なくとも含まれ、更に、発呼先の電話番号（発呼先特定情報）、指定時間、指定曜日といった情報が含まれる場合もある。
【００１４】
図２（ａ）及び図２（ｂ）に音情報格納部１１０に格納されている情報の例を示す。図２（ａ）に示す例に拠れば、「発信者番号（端末特定情報）」と、「着信者番号（発呼先特定情報）」と、「指定時間」と、「指定曜日」と、「音源ＩＤ」とが関連付けられて格納されている。「発信者番号」は、ここに該当する電話番号の携帯電話機から発呼された場合に、この「発信者番号」に対応する他の情報を特定するためのキーとなる情報である。「着信者番号」は、ここに該当する電話番号に対して発呼があった場合に、この「着信者番号」に対応する「指定時間」「指定曜日」「音源ＩＤ」を特定するためのキーとなる情報である。「指定時間」及び「指定曜日」は、この情報が指定されていればその条件に従うこととなる制限情報である。「音源ＩＤ」は、携帯電話機３０に提供する音情報を特定する情報である。図２（ｂ）に示すように、音情報格納部１１０には「音源ＩＤ」と「音情報」とが関連付けられて格納されている。
【００１５】
図２において、発信者番号として格納されている「０９０−ＸＸＸＸ−ＸＸＸＸ」は携帯電話機３０の電話番号である。従って、携帯電話機３０を使用するユーザが、着信者番号として格納されている「０９０−ＸＸＸＸ−ＹＹＹＹ」に、「土曜日」の「１２時〜１８時」の間に電話をかけると、「広告０１」の音源ＩＤが特定され、「ａｄ．ｗａｖ」の音情報が特定される。一方、この条件に当てはまらない場合、例えば他の電話番号に電話をかけた場合や、「０９０−ＸＸＸＸ−ＹＹＹＹ」であっても他の時間帯に電話をかけた場合には、「音楽０１」の音源ＩＤが特定され、「ｍｕｓｉｃ．ｗａｖ」の音情報が特定される。
【００１６】
受信部１０２は、携帯電話機３０から送信される発呼情報を受信し、音情報選択部１０３に出力する部分である。より具体的には、発呼情報には携帯電話機３０の電話番号が少なくとも含まれ、発呼先の電話番号といった情報が含まれる場合もある。この発呼情報は、発呼する際に携帯電話機３０から音声通信網２０に送信される情報を、音声通信網２０が音情報提供システム１０に送信するものである。
【００１７】
音情報選択部１０３は、受信部１０２から出力される発呼情報に対応する音情報を、音情報格納部１１０に格納されている音情報から選択し、送信部１０４に出力する部分である。より具体的には、発呼情報に携帯電話機３０の電話番号である「０９０−ＸＸＸＸ−ＸＸＸＸ」が含まれており、発呼先の電話番号として「０９０−ＸＸＸＸ−ＹＹＹＹ」が含まれている場合には、音情報選択部１０３は図２（ａ）に示す情報テーブルを参照して「広告０１」を音源ＩＤとして選択する。更に音情報選択部１０３は、その「広告０１」の音源ＩＤに基づいて図２（ｂ）に示す情報テーブルを参照して「ａｄ．ｗａｖ」の音情報を選択して「０９０−ＸＸＸＸ−ＸＸＸＸ」の電話番号と共に送信部１０４に出力する。
【００１８】
送信部１０４は、音情報選択部１０３が選択した音情報を携帯電話機３０に送信する部分である。より具体的には、音情報として「ａｄ．ｗａｖ」が、電話番号として「０９０−ＸＸＸＸ−ＸＸＸＸ」が出力された場合には、送信部１０４は「ａｄ．ｗａｖ」の音情報を「０９０−ＸＸＸＸ−ＸＸＸＸ」の電話番号と共に音声通信網２０に送信し、その音情報「ａｄ．ｗａｖ」は音声通信網２０から「０９０−ＸＸＸＸ−ＸＸＸＸ」の電話番号で特定される携帯電話機３０に送信される。音声通信網２０では、この音情報「ａｄ．ｗａｖ」を携帯電話機３０が呼接続を確立するまで送り続け、呼接続が確立するとその送信を停止する。携帯電話機３０では、この音情報「ａｄ．ｗａｖ」に基づいてＲＢＴ（リングバックトーン、呼出音）として所定の音を発生させる。
【００１９】
参照部１０５は、携帯電話機３０から送信される参照情報に基づいて、音情報格納部１１０に格納されている情報を特定し、その特定した情報を携帯電話機３０に送信する部分である。例えば、携帯電話機３０を使用するユーザが、自己が登録した情報を参照したければ、携帯電話機３０の電話番号「０９０−ＸＸＸＸ−ＸＸＸＸ」と参照したい旨の情報とを音情報提供システム１０に送信する。この送信された情報は参照部１０５において処理され、図２（ａ）、図２（ｂ）に示す情報が携帯電話機３０に返信される。
【００２０】
この実施形態では上述の通り音情報提供システム１０として構成しているが、それぞれの機能部分や格納情報を分散させてもよい。例えば、図２（ｂ）に示す音情報を音源サーバといったサーバシステムに格納してもよい。その場合に、音源サーバを複数設けてもよく、複数の音情報を区分して音源ボックス番号といった管理番号を導入して管理してもよい。更に、音情報を音源サーバに格納した場合に、音源ＩＤと音情報とのリンク情報を利用してもよい。その場合には、音情報へのリンク情報を格納するポータルサーバといったサーバシステムを導入してもよい。ポータルサーバには、音源ＩＤとリンク情報とが関連付けられて格納され、音源ＩＤが特定されればそれに対応するリンク情報に基づいて音情報を特定することとなる。
【００２１】
尚、この実施形態では携帯電話機３０から登録情報及び参照情報を送信しているが、例えば他の情報通信端末（例えば、パーソナルコンピュータ）から登録情報及び参照情報を送信してもよい。また、この実施形態ではＲＢＴを例にとって説明したが、ＤＴ（ダイヤルトーン、発信音）やＢＴ（ビジートーン、話中音）に適用することもできる。
【００２２】
本実施形態によれば、音情報格納部１１０にユーザが使用する携帯電話機３０から送信される登録情報に基づいて音情報（音源ＩＤ）と携帯電話機３０の電話番号とを関連付けて格納するので、ユーザ使用する携帯電話機３０に対応させて音情報を保持できる。携帯電話機３０が発呼する際に送信される発呼情報に含まれる携帯電話機３０の電話番号に基づいて音情報格納部１１０に格納されている音情報を選択して携帯電話機３０に送信するので、ユーザが予め登録した音情報を携帯電話機３０に提供できる。従って、携帯電話機３０ではその音情報に基づいて所定の音を発生させることができる。
【００２３】
また本実施形態では、登録情報には発呼先の電話番号が含まれているので、各携帯電話機ごとに発呼先に応じた音情報を音情報格納部１１０に格納できる。発呼情報には発呼先の電話番号が含まれているので、音情報格納部１１０に格納されている情報を参照することで発呼先に応じた音情報を選択できる。
【００２４】
【発明の効果】
本発明によれば、音情報格納手段にユーザから送信される登録情報に基づいて音情報と端末特定情報とを関連付けて格納するので、ユーザ使用する通信端末に対応させて音情報を保持できる。通信端末が発呼する際に送信される発呼情報に含まれる端末特定情報に基づいて音情報格納手段に格納されている音情報を選択して通信端末に送信するので、ユーザが予め登録した音情報を通信端末に提供できる。従って、通信端末ではその音情報に基づいて所定の音を発生させることができる。従って本発明の目的とする、通信端末に極力負担をかけずにユーザが設定した音でＲＢＴ等を発生させることができる音情報提供システムを提供することができた。
【図面の簡単な説明】
【図１】本発明の実施形態である音情報提供システムを説明するための図である。
【図２】図１の音情報格納部に格納されている情報の例を示す図である。
【符号の説明】
１０…音情報提供システム、１０１…登録部、１０２…受信部、１０３…音情報選択部、１０４…送信部、１０５…参照部、１１０…音情報格納部、２０…音声通信網、２５…データ通信網、３０…携帯電話機。
【図１】
2004282607.tif 000003
【図２】
2004282607.tif 000004